(57)【要約】【課題】本発明の課題は、住宅の基礎に設けられている床下換気口等の開口部からの浸水を防止する止水板や止水機能付き床下換気口部品を提供し、集中豪雨時に発生する床下浸水を未然に防止し、甚大な被害を無くすものである。【解決手段】  基板に軟質なゴム又は軟質な樹脂を波状に着設させ、複数個のボルト貫通用穴を設けた床下換気口用止水板や、更に便利な、引き戸や嵌合蓋等によって換気口を開閉さす止水機能付き床下換気口止部品等を、換気口に装着して換気口を塞ぎ水の浸入を防止するものである。【選択図】  図２１
2007009668.tif 000002
【特許請求の範囲】
【請求項１】
基板に軟質なゴム又は軟質な樹脂を着設させ、且つ、該基板にはコンクリート基礎に密着させて固定さすためのボルト等の貫通用穴が複数個設けることを特徴とした床下換気口用止水板。
【請求項２】
前記基板には軟質なゴム又は軟質な樹脂が表面を波状に着設されていることを特徴とした請求項１記載の床下換気口用止水板。
【請求項３】
前記基板の面を波状に成形し、該波状面に前記軟質なゴム又は軟質な樹脂が着設されていることを特徴とした請求項１又は２記載の床下換気口用止水板。
【請求項４】
止水板を引き戸の如く枠体の溝内を摺動させて床下換気口を開閉するものであって、前記枠体の溝には防水機能が施された防水機能付枠体であることを特徴とした止水機能付き床下換気口用止水戸。
【請求項５】
両端部が開口した筒体において、該筒体の端部に防水機能付枠体を取り付け、該枠体に設けて溝内に止水板を引き戸の如く左右に摺動させさて床下換気口を開閉させ、更に、該筒体内又は前記防水機能付枠体に網が張られて成る止水機能付き床下換気口部品。
【請求項６】
床下換気口を覆う防水機能付枠体に、防水手段を設けた１以上の止水板がジャイロの如く開閉可能に軸止して成る止水機能付き床下換気口部品。
【請求項７】
両端部が開口した筒体において、該筒体の端部に取り付けた防水機能付枠体に防水手段を設けた１以上の止水板がジャイロの如く開閉可能に軸止し、更に、該筒体内又は前記防水機能付枠体に網が張られて成る止水機能付き床下換気口部品。
【請求項８】
床下換気口の周辺を覆う防水機能付枠体の外周に突起片を設け、該突起片に防水機能付き蓋を嵌合することによって水の侵入を防止することを特徴とした止水機能付き床下換気口部品。
【請求項９】
床下換気口の周辺を覆う防水機能付枠体の外周に突起片を設け、突起片に施したネジと蓋に施したネジとで螺合することによって水の侵入を防止することを特徴とした止水機能付き床下換気口部品。
【請求項１０】
請求項４、６、８又は９記載の止水機能付き床下換気口用止水戸や床下換気口部品に虫等の侵入を防ぐ金網等が設けて成る止水機能付き床下換気口部品。
【請求項１１】
両端部が開口した筒体の先端に直接、防水機能付き蓋を嵌合するか又は螺合するか、或いは前記筒体の先端部に請求項８又は９記載の止水機能付き床下換気口部品を取り付け、更に、虫の侵入を防ぐ金網等を前記筒体内か又は前記請求項８或いは９記載の止水機能付き床下換気口部品に取り付けて成る止水機能付き床下換気口部品。
【請求項１２】
前記筒体が内筒と外筒との二重構造を成しスライドさせる又は蛇腹構造にして調整可能にしたことを特徴とした請求項５、７又は１１記載の止水機能付き床下換気口部品。
【請求項１３】
前記筒体の外面に周状に突起片を設けたことを特徴とした請求項５、７、１１又は１２記載の止水機能付き床下換気口部品。
【発明の詳細な説明】
【技術分野】
【０００１】
本発明は、一般住宅の基礎に設置してある床下換気口等の開口部から浸水を防止する止水板及び止水機能付き床下換気口部品に関するものである。
【背景技術】
【０００２】
昨今、異常気象の現れか、集中豪雨や強力な台風によって、今まで経験したことのない災害が世界各国で発生し、床下、床上浸水が報道されている。平成１６年７月１８日未明からの福井豪雨では、３、４３３世帯が床上浸水、８，０７１世帯が床下浸水の被害が発生した。更に、平成１６年１０月２０日から２２日に日本を縦断した台風２３号では、福井県では床上浸水が２５世帯、床下浸水が２８８世帯発生し、更に、兵庫県豊岡地区では８千世帯が水につかったと報道されている。
上述の被害は一例であるが、床下浸水は床上の何倍かが発生している。
しかし、一旦、床下に水が入れば、床上浸水と同様、床板を取り外し、床を支える土台や土間等を乾燥させ、白蟻対策や消毒等、復旧工事に膨大な労働と費用が掛かかるのが現状である。
しかしながら、豪雨等の水害対策と言えば、河川の決壊や排水及び地下道等の浸水対策が主体であって、一般住宅の換気口においては、通気量をコントロールする換気口部品は提案されていても、床下浸水の防止対策については誰しもが要望されているにも係わらず具体的な提言や示唆が見当たらない。
【０００３】
【特許文献１】特開２００２−２１４２６号公報
【発明の開示】
【発明が解決しようとする課題】
【０００４】
そこで、本発明の課題は、住宅の基礎に設けられている床下換気口等の開口部から洪水時に水が浸入しない床下換気口用止水板や床下換気口止水戸及び止水機能付き床下換気口部品を提供することによって、集中豪雨時に発生する床下浸水を未然に防止し、甚大な被害を無くすものである。
【課題を解決するための手段】
【０００５】
請求項１から３記載の本発明は、建物のコンクリート基礎に設けてある床下換気口等の開口部に床下換気口用止水板を取り付け浸水を防止するものであって、該床下換気口用止水板は開口部より大きい基板に軟質なゴム又は硬化しない軟質な樹脂が着設されていて、且つ、該基板にはコンクリート基礎に密着させて固定さすためのボルト等の貫通用穴が複数個設けることを特徴とした床下換気口用止水板である。
尚、前記軟質なゴム又は硬化しない軟質な樹脂は表面を図１に示すように全面を平坦に着設してもよいが、樹脂面と基礎のコンクリート面との密着度を局部的に高め水の浸透性を無くす手段として図２に示すように全面を波状に凹凸を成形したものや、図示しないが平坦部と波状部とを組合せて着設した床下換気口用止水板である。波の形状は小さくして凹凸が多い方が効果的である。
本発明でいう着設とは、基板とゴムや樹脂等を強く密着させることで、その手段としては接着剤や熱融着等で接着することや、ビス止め又は嵌着させ固定することをいう。
基板に着設さす樹脂等の面積は、基板全面に着設してもよいし、換気口の開口部を除いてコンクリート基礎と接触する部分にのみ着設してもよい。
又、図３に示すように基板にも波状に凹凸を設け、該凹凸部に前記軟質なゴム又は硬化しない軟質な樹脂を着設させて、基板とゴムや樹脂等との密着性を局部的に高め水の浸透性を無くす手段を講じている。
【０００６】
基板の材質は、木製、硬化樹脂、スチール製等で変形（歪むこと）しない強固な素材であればよい。
基板に着設さすゴムや樹脂の材質は、コンクリート面になじんで密着する軟質なゴムや樹脂が要求される。
又、該床下換気口用止水板を換気口部に取り付ける際に、ゴム又は樹脂の表面に貼着剤等を塗布することによって、密着性を向上させ水の浸入を阻止する手段を講じてもよい。
【０００７】
前記床下換気口用止水板を基礎の開口部（換気口等）に密着させて固定さす手段としては、
（１）  開口部周辺のコンクリート基礎にボルト等を複数個打設して、図１、図２、図３に示す床下換気口用止水板を図６のように固定さす手段と、
（尚、コンクリート基礎に打設するボルト等とはアンカーボルトとかアンカーねじ等をいう。）
（２）  図４に示すように基板の中央部にボルト貫通穴を設けた床下換気口用止水板を基礎に密着させ固定さす手段としては、開口部に支持棒として丸棒を取り付けるか、又は、図５に示すような長さ調整機能付支持棒（９）を開口部に取り付け、該支持棒にＵ字状の係止部を有する係止機能付連結ボルト（１０）で前記床下換気口用止水板を固定さす手段とがある。
更に、上記床下換気口用止水板をボルト等で固定する際には、図示のようにゴムパッキン（５）や座金等を穴（４）部に当てボルト部にシールテープを巻いてナット締めし水の浸入を阻止する。
又、出来れば、穴部や基板とコンクリートの隙間にシリコーン性シーリング材等でシールすれば水の浸入が阻止でき、より完全なものになる。
【０００８】
請求項４記載の本発明は、止水板を引き戸の如く枠体の溝内を摺動させて床下換気口を開閉するものであって、前記枠体の溝内にはゴムパッキン等で防水機能を持たせた防水機能付枠体であることを特徴とした止水機能付き床下換気口部品である。
詳細な構造は図８で示す実施例の如く、前記防水機能付枠体は基礎の開口部の２倍以上にし、基礎の開口部に取り付け、止水板は開口部より幾分長くしゴムパッキンや取手等を設けた。
又、溝の防水機能とは、溝内にゴムパッキンを内装させてもよいし、溝の内面を可能な限り狭く精密仕上げし止水板の周辺にゴムパッキンを装着してもよい。
尚、虫の侵入を防ぐ金網等を前記枠体に取り付けることも可能である。
【０００９】
請求項５記載の本発明は、請求項４記載の発明と同様、止水版を引き戸のように開閉さす防水機能付枠体を、両端を開口した筒体に取り付けた止水機能付き床下換気口部品を提供するもので、該部品は出来れば新築基礎工事の際に設置する方が好ましい。
その構造は、両端部が開口した筒体の一端部に防水機能付枠体を取り付け、該枠体に設けて溝内に止水板を引き戸の如く左右に摺動させ床下換気口を開閉させ、更に、該筒体内か又は前記枠体に金網等が張られて成る止水機能付き床下換気口部品である。
詳細な構造は図９で示す実施例の如く、前記防水機能付枠体を開口部より２倍以上長くして基礎の開口部に取り付け、止水板も開口部より幾分長くした。
又、防水機能付枠体は点検や補修する際、筒体から取り外し可能にすると便利である。
【００１０】
請求項６記載に本発明は、換気口の周辺を覆う防水機能付枠体に止水板をジャイロ（回動すること）の如く開閉させ水の侵入を防止する手段である。その構造は、図１０の防水機能付枠体に図１１のような防水手段を設けた１本以上の止水板が回動して開閉するように軸止したものである。
尚、図１０には筒体部に虫等の侵入を防ぐ金網等を筒体に取り付けてあるが、枠体部に取り付けることも可能である。
【００１１】
請求項７記載の本発明は、請求項６記載の止水機能付き床下換気口部品を筒体と一体化したもので、該部品も出来れば新築基礎工事の際に設置することが好ましい。
その構造は、両端部が開口した筒体において、該筒体の一端部に取り付けた防水機能付枠体に防水手段を設けた１本以上の止水板を開閉可能に軸止し、更に、該筒体内か又は前記枠体に金網等が張られて成る止水機能付き床下換気口部品である。
詳細な構造は図１０に示す実施例の如く、枠体の大きさは換気口の開口部より幾分大きくするとよい。更に、防水手段としては、止水板と止水板とが接する面及び止水板の端面と枠体とが接する面を図１１に示す如く波状加工したゴムパッキンを双方に装着し、パッキン同士が強く嵌合されて密着する手段である。
又、防水機能付枠体を筒体から取り外し可能にすると、パッキン等の補修や点検の際、便利である。
【００１２】
請求項８記載の本発明は、図１２〜１５に示すように、床下換気口の周辺を覆う防水機能付枠体の外周に突起片を設け、該突起片に防水機能付き蓋を嵌合させて水の侵入を防止する止水機能付き床下換気口部品である。
本発明でいう嵌合とは、図示のように突起片と蓋とをはめ合わせて水が侵入しないように密着さすことで、ネジを用いてはめ合わせる螺合とは相違する。
尚、蓋を突起片に嵌合させて水の侵入を防止する手段は実施例で詳細に説明するように多くの構造がある。しかも、これらの各構造は、換気口の形状に応じて適宜に選択すればよい。
又、請求項８記載の発明の防水機能付枠体を後述する請求項１１、１２、１３記載の筒体に取り付けることが可能で、更に、防水機能付枠体や突起片や突片等に金網を取り付けることも可能である。
尚、嵌合した蓋には開ける際に使用する摘部（１５７）を設けると開け易すく便利である。
【００１３】
請求項９記載の本発明は、図１６に示すように、床下換気口の周辺を覆う防水機能付枠体の外周に突起片を設け、突起片に施したネジと蓋に施したネジとで螺合し水の侵入を防止する止水機能付き床下換気口部品である。
図１６に示すように、突起片の先端に外ネジを施し、蓋に内ネジを施して、シールテープを巻き付けて螺合する構造である。施すネジには内ネジ、外ネジとがるが適宜に選択すればよい。
又、請求項９記載の発明の防水機能付枠体を後述する請求項１１、１２、１３記載の筒体に取り付けることが可能で、更に、請求項１０記載のように防水機能付枠体や突起片や突片等に金網を取り付けることも可能である。
【００１４】
上述のように請求項４、６、及び８、９、１０記載の本発明は、防水機能付枠体をコンクリート基礎に密着させ、該枠の開口部（換気口部に相当する。）に引き戸、ジャイロ、蓋等を装着して水の侵入を防止する手段であるが、該枠体を床下換気口に密着さす手段には下記の方法がある。
（１）  枠体の裏面に請求項１〜３項記載のように軟質なゴム又は軟質な樹脂を着設するか、又は、通常のゴムパッキンを当て、該面と床下換気口のコンクリート基礎面とをアンカボルト等で締め付け密着させて水の侵入を防止する手段。
（２）  枠体をコンクリート内に埋め込む手段。
この場合の枠体は、枠体を数ｃｍ程度の厚みにして該枠体のコンクリート基礎に埋め込むか、又は、枠体の裏面（コンクリートと接する面）外周を突片で囲み、該突片と枠体の面までをコンクリート基礎に埋め込むか、又は、簡略な方法として、周囲を突片で囲むのではなく、間隔おいて突片を立設して、該突片と枠体の面までをコンクリート基礎に埋め込み水の侵入を防止する手段とがある。
（３）  後述する、請求項１１，１２、１３記載の発明の筒体の先端に鍔体を設け、該鍔体に防水機能付枠体を取り付ける手段とがある。
尚、筒体の先端部と防水機能付枠体での突起片とが、後述する実施例のように機能、作用が同じ場合があるので、この場合はお互いに読み替えて該当させるものとする。
【００１５】
請求項１０記載の本発明は、前述のように請求項４、６、８、９記載の止水機能付き床下換気口部品に虫等の侵入を防ぐ金網を防水機能付枠体か突起片（１７１）又は突片（１７７）部に取り付けることである。金網の形状等については特に限定しなし。
【００１６】
請求項１１記載の本発明は、床下換気口部に取り付ける両端が開放した筒体の先端に防水機能付き蓋を嵌合させるか又は螺合させて床下換気口から水の流入を遮断するものである。
この場合、図１２〜１５に示すような床下換気口部品を図１７のように筒の先端部に取り付けるか、或いは図１８、１９、２１に示すように筒体の先端に直接、蓋を嵌合するか図２０のように螺合する手段とがある。
しかし、請求項８記載の発明の実施例で例示した突起片と蓋との構造、機能を請求項８記載の発明だけに特定するものではなく、又、請求項１１、１２、１３記載の発明の実施例で例示する筒体の先端と蓋を構造、機能を請求項１１、１２，１３の発明だけに特定するものではない。
即ち、これらの構造は、突起片や筒の先端に蓋が嵌合して水の侵入を遮断する構造であれば全て本発明の嵌合する蓋に該当する。更に、現在、容器を密閉さす多くの蓋が提案されているが、これらの蓋をも本発明の課題、手段に適合するものであれば全て本発明との利用関係にある。
更に、図示のようにネジを施した筒体の鍔面と蓋との接する箇所にゴムパッキン（１６）を設けシール性を向上させる手段を講じてもよい。
【００１７】
請求項１２記載の本発明の筒体はコンクリート基礎幅に応じて長さ調整可能にしたものである。その構造は図１８、１９、２０に示す如く内筒と外筒との二重構造にしたものであるが、図示しないが長さ方向や幅方向を蛇腹構造にすれば筒体の長さや幅の調整可能で便利である。
請求項５記載の発明では、基礎の開口部の大きさに応じて筒体の開口を調整可能なように筒体を半割にして重ね合わせするか、又は蛇腹構造にするとよい。
【００１８】
請求項１３記載の本発明は図９、１８、１９、２０、２１に示すように筒体の外面に周状に突起片を設けた。その機能は、筒体の外面が平坦な場合、基礎工事の際、コンクリートと筒体の外周面とにわずかに隙間が発生する可能性が考えられ長期間においては水が浸透するおすれもあるので、筒体の外周に一以上の突起片を設けることによって、間隙を連続させることなく筒体をコンクリート内に埋設することができる。
【００１９】
以上、上述の本発明の止水板及び止水機能付き床下換気口部品の形状は装着する換気口の形状に対応させればよい。現在採用されている換気口の形状は長方形、正方形または円形状のもが一般的である。
又、防水機能付枠体や蓋、筒等の材質は雨雪等で錆等が発生しないステンレスやアルミニユウム、または樹脂等が最適である。
特に、嵌合する蓋は柔軟でフイットする樹脂が優れている。例えば、最近市販されている某メーカの「食品、飲料水などの保存又は調理用容器蓋等」の登録商標であるフレックスフイットのように伸縮性に富み、且つ、記憶形状樹脂等がある。
又は、出来れば蓋の嵌合する溝部のみでも柔軟な樹脂を薦める。
【発明の効果】
【００２０】
上述のように、台風や集中豪雨時に発生する床下浸水を未然に防止する床下換気口用止水板や止水機能付き床下換気口部品を提供することによって、甚大な復旧工事費を無くすことが可能になり、その効果は絶大なものがある。
請求項１から３記載の床下換気口用止水板は既存の換気口に容易に設置でき、不要時には他の場所に保管できるので防水上の性能（樹脂が硬化しないこと。）も長期間期待できる利点がある。しかし、その都度（洪水時）、ボルトで締め付けて固定しなければならない面倒な点もある。
請求項４、６、８、９記載の床下換気口用止水戸や止水機能付き床下換気口部品は一度設置すれば、開閉は簡単である。又、既存の換気口にも容易に設置できる等の利点がある。
請求項５、７、１１〜１３記載の発明は、新築時に設置するのが最適で、開閉が容易である。
尚、請求項４から７記載の発明品には、防水として使用する以外に開閉の度合いをコントロールすることによって換気量の調整もでき、特に寒冷地に於いては床下を保温する手段としても使用できる利点がある。
請求項８〜１３記載の止水機能付き床下換気口部品では蓋は取り付けが極めて容易であり。更に、請求項1から３記載の止水板の如く不要時には、蓋を他の場所に保管できるので防水上の性能が長期間保持できる利点がある。又、防水以外に、上述のように蓋を装着することによって床下を保温する手段にも使用できる利点がある。
請求項１２記載のように、筒体を内筒と外筒との二重構造にすることによって、建物の基礎幅に対応できるように調整可能にした。
更に、前述のように筒体を蛇腹方式にすれば容易に長さや幅の調整も可能である。これらは現場への適応性が増し新たな効果が期待できる。
又、請求項１３記載のように、筒体の外面に周状に突起片を設けることによって、筒体を基礎コンクリート内に埋設した際、基礎の外側から内側に連続した隙間が生じないようにして、水の浸入を防止している。尚、突起片の高さは、筒体の下面を高くした方が効果的である。（コンクリートの流し込む際に、間隙を発生さす危険性が減少する。）
尚、防水機能枠体や突起片（１７１）、突片（１７７）等部に虫の侵入を防ぐ金網等を取り付けた方が、コンクリート基礎換気口部に直接取り付ける方より点検整備等が容易になる。
上述の如く本発明は、長年に亘り誰しもが問題視し更に産業上利用可能性が顕著なものであるにも係わらず、当業者が容易に考え付かず成し得なかったことを本発明者が完成させたものでその効果は絶大なものがある。
【発明を実施するための最良の形態】
【００２１】
請求項１から４記載の本発明は、洪水の際、事前にその都度取り付ける止水板である。
その構造は、床下換気口用止水板（１）をコンクリート基礎と密着させて水の浸入を防止する手段であって、該床下換気口用止水板の構造は基板（２）に軟質なゴムや軟質な樹脂（３）が着設され、該基板をボルト等でコンクリート基礎面に固定させて換気口を閉塞するものである。
更に、該床下換気口用止水板を開口部の基礎面と強く密着させて固定さす手段として、
１・  事前にコンクリート基礎にボルト（７）を打設しておき、該ボルト（７）に該床下換気口用止水板（１）を固定する手段と
２・  開口部に支持棒を固定させ、該支持棒と床下換気口用止水板とを連結する係止機能付連結ボルトとで固定する手段とがある。
尚、該支持棒には、
１・  単に鉄製の丸棒を基礎工事際に取り付けておく手段と、
２・  長さを調整可能な支持棒を開口部に取り付け、該支持棒に係止機能付連結ボルトを引っ掛けて固定する手段とがある。
【００２２】
請求項４から１３記載の発明は、一度、設置すれば日頃の点検は必要としても、洪水時に止水板を戸のように閉めるか、又は蓋をすればよく、その対応は極めて容易な止水手段である。
上述の構造を、下記の実施例で詳細に説明する。
【実施例】
【００２３】
図１は、基板（２）の中央部以外に軟質なシリコーン樹脂（３）を着設させた床下換気口用止水板（１）であって、該基板にはコンクリート基礎に打設したボルト（７）に固定さす複数個のボルト貫通用の穴（４）が基板の周辺に設けてある。
穴（４）は設置する際に現場合わせでボルトと同じ径を明けるのが最適である。
しかし事前に穴（４）を明けておく場合にはある程度大きくするとよい。その理由は、換気口の開口部の大きさや取り付け位置は建物によって種々異なるため、位置調整が可能にするためである。
尚、穴部（４）を閉塞するには、予めパテ詰めした後、長方形のボルト貫通穴（６）を設けたゴムパッキン（５）を使用し締め付けてもよい。
【００２４】
図２は、基板（２）の中央部以外に軟質なシリコーン樹脂を波状に着設した床下換気口用止水板（１）であって、該基板にはコンクリート基礎に打設したボルト（７）に固定さす複数個のボルト貫通用の穴（４）が設けてある。
波状にすることによって、密着性を局部的に強め水の浸透性を無くすためである。
尚、該止水板を取り付け際のも、穴部（４）を閉塞する長方形のパッキン（５）が必要である。
【００２５】
図３は、基板（２）の表面を波状に凹凸（８）を設け、該溝部（８）に軟質なシリコーン樹脂（３）を着設した床下換気口止水板（１）の断面図である。基板の表面を波状に加工した理由は、基板と樹脂とをより密着させて水の浸透を無くすためである。
【００２６】
図４は開口部に支持棒を設けて固定さす床下換気口止水板であって、該床下換気口止水板の基板（２）の中央部以外には軟質なシリコーン性樹脂（３）を波状に成形して着設されていて、更に、基板（２）の中央部には前記係止機能付連結ボルトで固定さすために径をやや大きな穴（４）が左右上下に計４箇所設けてある。
やや大きな穴（４）を設けた理由は、前述のように開口部の大きさや位置が建物によって種々異なるため、ある程度異なる大きさの開口部にも適用できるように高さや幅等の位置の調整が可能にした。但し、現場、合わせの場合はボルト径の同じ穴（４）でよい。
尚、穴（４）部を閉塞する大きな長方形のパッキン（５）を使用し該パッキンにはボルト貫通穴（６）が設けた。
【００２７】
図５は、上述した図４に示す床下換気口止水板（１）を固定さすための長さ調整機能付支持棒と係止機能付連結ボルトの一例を示す。
長さ調整機能付支持棒（９）の構造は、長めのボルト（９１）の先端に当板（９２）を自由自在に取り付け、更に該ボルトの他部にはナット（９３）を螺合させ、更に、ボルト（９１）が挿入する中空軸（９４）とナット（９３）とを接当させ、該中空軸（９４）の先端には心棒（９５）を接合させて、その先端に当板（９２）自由自在に取り付けた。
係止機能付連結ボルト（１０）の構造は、ボルト（１０２）の先端にＵ字状の係止部（１０１）を設けたものである。該ボルトの係止部（１０１）を前記支持棒（９）に引っ掛けて、ボルトのネジ部を前記図４に示す床下換気口止水板（１）の穴（４）に通す。
【００２８】
該長さ調整機能付支持棒（９）と係止機能付連結ボルト（１０）を使用して床下換気口止水板を固定した状態を図７に示す。その取り付け方法は、
先ず、支持棒（９）を開口部に取り付ける。その手順はナット（９３）を回動さすことによって、中空軸（９４）を左右に移動させ、床下換気開口部に固定する。尚、当板（９２）をボルト（９１）や心棒（９５）に自由自在に取り付けた理由は、コンクリート基礎の開口部の面が傾斜になっている場合もあるので、如何なる面でも密着さすためである。
該支持棒（９）の取り付け本数は開口部の大きさにもよるが、上下に２本取り付ける方が安定させて止水板（１）を固定さすことができ好ましい。
次に、係止機能付連結ボルト（１０）の係止部（１０１）を支持棒（９）のボルト（９１）部と中空軸（９４）部か又は心棒部（９５）に引っ掛ける。
その後、図示のように止水板（１）の穴（４）に連結ボルト（１０２）を通し、パッキン（５）を止水板に当て、ボルト部にシールテープを巻いて、ナットで固定させる。
【００２９】
図６は、図１、図２又は図３に示した床下換気口止水板（１）を基礎に打設したボルト（７）に固定させた実施例を示す。
【００３０】
図８に示す実施例は、請求項４記載の本発明の構造で、止水板（１１１）を引き戸の如く枠体の溝内を摺動させて床下換気口を開閉するものであって、前記枠体の溝内（１１３）にはゴムパッキン（１１２）が装着した防水機能付枠体（１１４）であることを特徴とした床下換気口用止水戸（１１）である
本防水機能付枠体を換気口部に取り付ける際には、図示しないが基礎のコンクリート面と枠体面にはゴムパッキンを入れアンカネジ等で枠を強く固定させる。更に、枠の周囲をシリコーン性シーリング材でシリールし防水処理を施した。
尚、止水板を閉めたときに、止水板と枠体と接する面にもシリコーン性シーリング材で防水すればより完全なものになる。
【００３１】
図９に示す実施例は、請求項５記載の本発明の構造で、両端部が開口した筒体（１４）の一端に、止水板（１２１）が引き戸の如く溝内を左右に摺動する防水機能付枠体（１２２）を設け、更に、該筒体の中央部に網（１２４）が張られて成る止水機能付き床下換気口部品である。
尚、防水機能付枠体（１２２）の溝面は溝型のゴムパッキン（１２３）が装着してある。但し、止水板を閉めた際にはシリコーン性シーリング材で止水板と防水機能付枠体と接する面をシーリングするとより完全なものになる。
更に、止水板には左右に引く取手（１２５）を取り付けた。
止水板と枠体の溝内の防止構造は図８のＡ−Ａ切断面に示す方式と同様でもよい。図面上の符号は変えているだけで防水構造は同等である。
又、筒体には外周に突起片（１４６）を設けた。
【００３２】
図１０、図１１に示す実施例は、請求項６及び７記載の本発明の構造で、両端部が開口した筒体（１４）の一端に防水機能付枠体（１２６）を取り付け、該枠体には止水板（１２８）を回動自在に軸止（１２９）し、更に、該止水板を回動さす操作片（１３０）を設け、該操作片で枠体（１２６）と止水体（１２８）とを強く密着固定さすために止め金具（１３１）（ボルト手段）を設けた。本発明でいうジャイロとは上記のように止水板が軸止させて回動することをいう。
又、防水手段としては、枠体（１２６）と止水板（１２８）たが接する端面及び止水板と止水板とが接する面には、図１１に示すような波状に成形したゴムパッキン（１２７）を装着し止水板を閉めれば、パッキン同士が嵌合し強く密着さす手段を講じた。
但し、長期間に亘り完全に防水性を保つには問題があると思える時には、シリコーン性シーリング材で止水板と枠体をシーリングすることを勧める。
【００３３】
図１２〜１５に示す実施例は、請求項８記載の本発明の構造である。
図１２は、床下換気口の周辺を覆う防水機能付枠体（１７）の外周に突起片（１７１）の先端部（１７２）外面を少し肉盛りし、蓋（１５）の内周に溝（１５１）を設け、前記先端部（１７２）を前記溝（１５１）挿入させて嵌合し密着さす構造である。
尚、請求項１０記載の発明のように金網（１２４）を防止機能付枠体に取り付けた。
又、厚手の防水機能付枠体（１７）をコンクリート基礎に埋め込んだ状態を図示しる。
図１３は、突起片（１７１）の立ち上がり縁面（１７４）を平坦にし、該縁面（１７４）に蓋（１５）の側壁先端部を鍔状（１５５）にして、該面（１５５）と前記縁面（１７４）とを密着させ、更に、突起片（１７１）の先端部（１７２）を蓋の溝（１５１）に挿入させ嵌合させる構造である。この場合も、突起片の側面（１７３）と蓋の側壁面（１５３）とは前記同様密着している。尚、請求項１０記載の発明のように金網（１２４）を防止機能付枠体に取り付けた。
又、防水機能付枠体（１７）は裏面に軟質なシリコーン樹脂（３）を着設させ、該面とコンクリートの基礎面とをボルト（７）で締め付け密着させた。
図１４は、突起片（１７１）の立ち上がり縁面（１７４）を平坦にし、該平坦面の周辺に溝（１７５）を設け、該溝（１７５）に蓋の側壁先端部（１５４）を挿入し嵌合させ、更に、蓋の内側に溝（１５１）に突起片の先端（１７２）を挿入し嵌合させた。この場合も、突起片の側面（１７３）と蓋の側壁面（１５３）とは前記同様密着している。
防水機能付枠体の裏面に突片（１７７）を周設して、該突片と枠体とをコンクリート基礎に埋め込んだ。尚、金網（１２４）はコンクリート基礎の換気口部に設けた。
図１５は、突起片（１７１）に細いゴムパッキン（１６）を数本嵌合させ、該パッキンを嵌合した突起片（１７１）に蓋（１５）の側壁面（１５３）を強く嵌合させ密閉さす構造である。この場合、パッキンを嵌合さす突起片の外面を波状にしてパッキンを咬ますとシール性が増す。
防水機能付枠体の裏面に間隔をおいて突片（１７７）を立設して、該突片と枠体とをコンクリート基礎に埋め込んだ。尚、金網（１２４）はコンクリート基礎の換気口部に設けた。
【００３４】
図１６は、請求項９記載の本発明の実施例を示す。
床下換気口の周辺を覆う防水機能付枠体（１７）の外周に突起片（１７１）部を円形にし、突起片に施したネジ（１７６）と円形の蓋（１５）に施したネジ（１５２）とで螺合し水の侵入を防止する構造である。尚、請求項１０記載の発明のように突起片（１７１）に金網（１２４）を取り付けた。
該部品を換気口のコンクリート基礎面に取り付けた。
【００３５】
図１７は、請求項１１記載の発明の実施例を示す。
ゴムのように伸縮性に富む材質で蓋を成形し、該蓋（１５）の側壁面（１５３）と防水機能付枠体（１７）の突起片（１７１）の側面（１７３）とを密着させ嵌合する構造である。
尚、蓋の側壁面（１５３）を波状にすることで伸縮力を増強させ緊張力を高めることによって密着度を高めている。
枠体の裏面には、軟質なシリコーン樹脂（３）を波状に着設して、請求項１１記載のような換気口を筒体（１４）の先端に鍔部（１４８）を設け、該鍔体に前記防水機能付枠体（１７）を取り付けた。尚、筒体の先端に金網（１２４）を取り付けた。
図示しないが、突起片の側面（１７３）と側壁面（１５３）とを波状にすればより密着性が増し防水効果が向上します。
尚、上述の各換気口部品は、円形の換気口の方が全周を均一に強く密着でき優れている。
【００３６】
図１８は請求項１１記載の発明に請求項１２，１３を採り入れた止水機能付き換気口部品の実施例を示す。
床下換気口に取り付ける両端が開放した筒体（１４）の端部（１４３）に防水機能付溝を設けた蓋（１５）を嵌合した図である。
蓋（１５）を筒体（１４２）の端部（１４３）に装着されているが、その構造は、図示す如く筒体の端部をストレートに延伸した一端部（１４３）に、蓋（１５）の突起溝（１５１）が直接嵌合さす構造である。
筒体は（１４）は内筒（１４１）と外筒（１４２）との二重構造にし、建築基礎幅に調整可能にした。尚、金網は筒体に取り付けた。
図１９は、請求項１１記載の他の実施例で、筒体（１４）の外筒（１４２）に鍔体（１４４）を設けその外部に突起片（１４５）を形成し、該突起片（１４５）に蓋（１５）の突起溝（１５１）が嵌合さす構造である。更に、鍔体と突起溝との接触面にはゴムパッキン（１６）を設けることによってシール性を高めることができる。
尚、請求項１０記載の発明のように金網（１２４）を筒体に取り付けた。
【００３７】
図２０は、請求項１１記載の発明に請求項１２、１３を採り入れた実施例である。
二重構造の円形の筒体に鍔を設け、外ネジ（１４７）を成形し、円形の蓋（１５）に内ネジ（１５２）を成形した、鍔面と蓋（１５）との接する面にゴムパッキン（１６）を挿入してある。又、下面の突起片（１４６）は上面より高くした。
尚、金網（１２４）は筒体に取り付けた。
【００３８】
図２１は請求項１１記載の床下換気口用筒体の先端に鍔体（１４８）を設け、該鍔体に蓋（１５）の外周面を前記鍔が嵌合する溝（１５１）を設け、鍔体（１４８）と溝（１５１）とを強く嵌合させて水の侵入を防止する構造を示す実施例である。
尚、金網（１２４）は筒体の先端部に取り付け,筒体の外周に突起片（１４６）を設けた。
【００３９】
図１２〜２１に示すように、換気口面を周囲のコンクリート基礎面より凹状に避こませた方が、突起片の先端が基礎面より外に出ず外観上よく見える。従って、基礎コンクリート枠組み際、凹部になるように工夫するとよい。
換気口には円形や長方形のものが一般的であるが、上記の嵌合する蓋の場合は円形の方が全周を強く密着さすことが容易で優れている。
【図面の簡単な説明】
【００４０】
【図１】請求項１記載の本発明の床下換気口用止水板であって、基板に樹脂を平坦に着設した斜視図とＡ−Ａ切断端面図である。
【図２】請求項２記載の本発明の床下換気口用止水板であって、基板に樹脂を波状に着設した斜視図とＡ−Ａ切断端面図である。
【図３】請求項３記載の本発明の床下換気口用止水板であって、基板の表面を波状に凹凸を設け、該基板に樹脂を波状に着設した断面図である。
【図４】請求項１から３記載の床下換気口用止水板を、換気口の開口部内に支持棒を設けて固定さす場合に、該床下換気口用止水板の中央部にボルト貫通穴を設けた背面斜視図である。
【図５】図４に示す本発明の床下換気口用止水板を固定さすための、長さ調整機能付支持棒と係止機能付連結ボルトとの構造を示す斜視図である。
【図６】請求項１から３記載の本発明の床下換気口用止水板をコンクリート基礎に打設したボルトに固定した使用状態を示す斜視図である。
【図７】本発明の図４に示す床下換気口用止水板を、図５で示す換気口に長さ調整機能付支持棒と係止機能付連結ボルトを利用して固定した使用状態を示す斜視図である。
【図８】請求項４記載の本発明である止水機能付き床下換気口部品の斜視図とＡ−Ａ切断端面図である。
【図９】請求項５記載の本発明に請求項１３を採り入れた止水板機能付き床下換気口部品を示す斜視図である。
【図１０】請求項６及び７記載の本発明である止水板機能付き床下換気口部品を示す斜視図である。
【図１１】図１０に示す止水板付き下床下換気口部品の止水板の開閉構造を示す拡大断面図（Ａ）と止水板が回動して閉まった時、枠と止水板端面とのゴムパッキンの嵌合状態を示す図（Ｂ）である。
【図１２】請求項８記載の本発明に請求項１０記載の発明を採り入れ基礎に設置した状態を示す実施例の断面図である。
【図１３】請求項８記載の本発明に請求項１０記載の発明を採り入れ基礎に設置した状態を示す実施例の断面図である。
【図１４】請求項８記載の本発明を基礎に設置した状態を示す実施例の断面図である。
【図１５】請求項８記載の本発明を基礎に設置した状態を示す実施例の断面図である。
【図１６】請求項９記載の本発明に請求項１０記載の発明を採り入れ基礎に設置した状態を示す実施例の断面図である。
【図１７】請求項８記載の本発明を筒体の先端に取り付けた請求項１１記載の発明の状態を示す実施例の断面図である。
【図１８】請求項１１載の本発明で筒体の先端に蓋を嵌合させ請求項１２，１３の発明を採り入れ基礎に設置した状態を示す実施例の断面図である。
【図１９】請求項１１記載の本発明で筒体の先端に蓋を嵌合させ請求項１２，１３の発明を採り入れ基礎に設置した状態を示す実施例の断面図である。
【図２０】請求項１１記載の本発明で筒体の先端に蓋を螺合させ請求項１２，１３の発明を採り入れ基礎に設置した状態を示す実施例の断面図である
【図２１】請求項１１記載の本発明で筒体の先端に鍔体を設け、該鍔体に蓋を嵌合させた筒体の外周には請求項１３記載の突起片を設けた実施例を示す断面図である。
【符号の説明】
【００４１】
１        床下換気口用止水板
２        基板
３        軟質なシリコーン樹脂
４        穴
５        ゴムパッキン
６        ボルト貫通用穴
７        基礎ボルト
８        基板に設けた凹凸
９        長さ調整機能付支持棒
９１      ボルト
９２      当板
９３      ナット
９４      中空軸
９５      心棒
１０      係止機能付連結ボルト
１０１    Ｕ字状の係止部
１０２    ボルト
１１      床下換気口用止水戸
１１１    引き戸の如く摺動する止水板
１１２    ゴムパッキン
１１３    溝
１１４    防止機能付枠体
１１５    アンカーボルト用穴
１２      止水機能付き換気口部品
１２１    引き戸の如く摺動する止水板
１２２    防水機能付枠体
１２３    溝内パッキン
１２４    網
１２５    取手
１２６    防水機能付枠体
１２７    ゴムパッキン
１２８    パッキンを貼着した止水板
１２９    軸止
１３０    操作片
１３１    止め金具
１４      筒体
１４１    内筒
１４２    外筒
１４３    筒体の一端部
１４４    外筒の端部に設けた鍔体
１４５    鍔体に設けた突起片
１４６    筒体の外周に設けた円周状の突起部
１４７    筒体にネジを成形
１４８    筒体の先端に設けた鍔体
１５      蓋
１５１    蓋の溝
１５２    蓋に内ネジを成形。
１５３    蓋の側壁面
１５４    側壁の先端
１５５    蓋の鍔
１５６    蓋の周面に設けた溝
１５７    摘部
１６      ゴムパッキン
１７      突起片付き防水機能付枠体
１７１    突起片
１７２    突起片の先端部
１７３    突起片の側面
１７４    立ち上がり縁面
１７５    縁面の溝
１７６    ネジ
１７７    枠体裏面の突片
１７８    突起片の先端の鍔状
【図１】
2007009668.tif 000003
【図２】
2007009668.tif 000004
【図３】
2007009668.tif 000005
【図４】
2007009668.tif 000006
【図５】
2007009668.tif 000007
【図６】
2007009668.tif 000008
【図７】
2007009668.tif 000009
【図８】
2007009668.tif 000010
【図９】
2007009668.tif 000011
【図１０】
2007009668.tif 000012
【図１１】
2007009668.tif 000013
【図１２】
2007009668.tif 000014
【図１３】
2007009668.tif 000015
【図１４】
2007009668.tif 000016
【図１５】
2007009668.tif 000017
【図１６】
2007009668.tif 000018
【図１７】
2007009668.tif 000019
【図１８】
2007009668.tif 000020
【図１９】
2007009668.tif 000021
【図２０】
2007009668.tif 000022
【図２１】
2007009668.tif 000023